(57)【要約】【課題】  調理ステーションと受渡しステーションとを分離した食品の注文受渡しシステムを提供する。【解決手段】  調理ステーション３と受渡しステーション４とは同じ店舗内に配置されず分離している。受渡しステーション４は複数の収納ボックス５…からなり、各収納ボックス毎にキー装置、送受信装置及びカメラが具備され、送受信装置を介して前記管理システムプラットホーム１からＱＲコード（登録商標）などの解錠コードを受信し、カメラで認識した開錠コードが管理システムプラットホーム１から送られた解錠コードと一致する場合に解錠する。【選択図】  図３
2020190933.tif 000002
【特許請求の範囲】
【請求項１】
クラウドコンピュータなどに構築される管理システムプラットホームと、この管理システムプラットホームと双方向通信が可能なユーザが保有するスマートホンなどの移動端末と、前記管理システムプラットホームからの指令を受信して注文された食品を調理する調理ステーションと、出来上がった食品を受渡しのために収納する受渡しステーションとから構成される食品の注文受渡しシステムであって、
前記受渡しステーションは前記調理ステーションとは分離した別の離れた場所に設けられ、前記管理システムプラットホームは前記受渡しステーションを構成する各収納ボックスに個別の開錠コードを送信し、前記管理システムプラットホームは調理ステーションの通信端末にユーザからの注文内容と当該ユーザからの注文品を収納する収納ボックスの番号及び個別の開錠コードを送信し、また、前記管理システムプラットホームはユーザの移動端末に当該ユーザからの注文品を収納する収納ボックスの番号及び個別の開錠コードを送信することを特徴とする食品の注文受渡しシステム。
【請求項２】
請求項１に記載の食品の注文受渡しシステムにおいて、前記受渡しステーションが調理ステーションと離れて設置される場所は、駅構内、自販機の隣、柱の周囲または通路の壁際であることを特徴とする食品の注文受渡しシステム。
【発明の詳細な説明】
【技術分野】
【０００１】
本発明は、食品の注文から受取りまでをスマートホン等の通信端末を介して行うシステムに関する。
【背景技術】
【０００２】
スマートホン等の通信端末を用いた食品の注文システムとして、特許文献１が提案されている。
この特許文献１は注文者の好みに合わせて野菜などのトッピングを調理するシステムとして、パンなどを搬送するコンベアの上方に特定の野菜を収納した筒状体を複数配置し、注文者のスマートホンからの注文で特定の野菜を収納した筒体の下端開口に設けたカッターが動作し、コンベア上を移動するパンの上にトッピング野菜が盛りつけられる内容である。
【０００３】
特許文献２には、消費者がスマートホンにダウンロードしたアプリケーションやホームページから注文して料金を支払い、後での受け取りや食品の受け取り時間を指定する注文ステップと、後での受け取りや食品の受け取り時間を指定した場合、その指定した受け取り時間が近くなると、食品販売機の調理装置が自動的に稼動して食品を作り始める調理ステップと、後での受け取りや食品の受け取り時間を指定した後、食品が出来上がると食品販売機の取出し口に送り出し、食品を該取出し口に設定した待ち時間放置し、その時間中に、消費者が受け取りを認証した場合には、該取出し口を開け、一方、食品を該取出し口に放置して設定の待ち時間を超えても受け取らなかった場合には、食品を貯蔵装置に送って保存し、その後、消費者が受け取りを認証した時には、食品を貯蔵装置の取出し口に送って該出し口を開ける食品送り出し方法が提案されている。
【０００４】
特許文献３は本発明者が提案した食品などの受渡しボックスであり、この受渡しボックスは、受け渡す物品を準備する準備エリアと準備された物品を受け取る受け取りエリアとの間に配置され、前記準備エリアと受け取りエリアとを画成する壁体に支持され、また受け渡しボックスは前記受け取りエリアに臨む前面扉と前記準備エリアに臨む背面扉を備え、前記前面扉の少なくとも一部は液晶パネルまたは有機ＥＬパネルの表面側に透明タッチパネルを設けた機能性パネルにて構成され、この機能性パネルの一部にはキーボード部、表示部が形成され、前記前面扉及び背面扉のうち一方が開状態のときは、他方は閉状態にロックされ、前記背面扉が開となったことをセンサが感知することで前記機能性パネルを構成する液晶パネルまたは有機ＥＬパネルを透光状態から不透光状態に切り換え、また前記背面扉が閉状態の場合には前記液晶パネルまたは有機ＥＬパネルを透光状態に維持することを内容としている。
【０００５】
特許文献４には、注文・支払いステーションと食品調理ステーションとを分離し、注文・支払いステーションでの情報を食品調理ステーションが受け、注文に応じた食品を食品調理ステーションで調理し、注文者は食品調理ステーションにおいて出来上がった食品を受け取る提案がなされている。
【先行技術文献】
【特許文献】
【０００６】
【特許文献１】特表２０１５−５２６０６３号公報
【特許文献２】特許第６３８３８４６号公報
【特許文献３】特許第６２４３０７６号公報
【特許文献４】特開平０２‐５０４６５８号公報
【発明の概要】
【発明が解決しようとする課題】
【０００７】
特許文献１に開示される注文システムによれば、スマートホンなどを用いて注文が行え、また人手を掛けることなく料理が出来上がってくるが、食品としてはトッピングとしての野菜サラダなど、極めて単純な食品に限定されてしまう。
特許文献２に開示される方法では、食品販売機内に組み込まれた調理装置が人手をかけることなく自動的に食品を調理するため、極めて限られた食品しか造ることができず食品として最も必要なおいしさを提供することができない。
特許文献３に開示される受渡しボックスでは、受渡しボックスの一方の側の空間が調理場などの準備エリアとされ、比較的広いスペースが要求され、店舗を展開する場所に制限がかかってしまう。また、注文の際にユーザの好みに合わせた細かな要求ができない。
特許文献４に提案される注文・支払いステーションと食品調理ステーションとの分離は、衛生上は好ましいが、スマートホン等を使ったモバイルオーダとの関連性は薄い。
【０００８】
更に特許文献１〜４に開示されるいずれのシステムも、調理する場所とユーザが受け取る場所とが同じ場所である。調理する場所には特に交通の便の良さは要求されないが、受け取る場所はユーザにとって駅の近くで且つ階段で上がり下りしない場所が好ましい。このため、受け取る場所を優先すると賃貸料などが高額になってしまい、逆に調理する場所を優先すると顧客が減少する。
【０００９】
調理する場所とユーザが受け取る場所とが異なるシステムとして、わが国では従来から出前システムがある。しかしながら出前システムは注文者の居場所が特定されていることが条件となり、供給側のコスト削減に結びつくものではない。
【課題を解決するための手段】
【００１０】
上記課題を解決するため本発明に係る食品の注文受渡しシステムは、クラウドコンピュータなどに構築される管理システムプラットホームと、この管理システムプラットホームと双方向通信が可能なユーザが保有するスマートホンなどの移動端末と、前記管理システムプラットホームからの指令を受信して注文された食品を調理する調理ステーションと、出来上がった食品を受渡しのために収納する受渡しステーションとから構成され、前記受渡しステーションは前記調理ステーションとは分離した別の離れた場所、例えば異なる建物、屋外或は同じ建物内でも別の階などに設けられ、前記管理システムプラットホームは前記受渡しステーションを構成する各収納ボックスに個別の開錠コードを送信し、前記管理システムプラットホームは調理ステーションの通信端末にユーザからの注文内容と当該ユーザからの注文品を収納する収納ボックスの番号及び個別の開錠コードを送信し、また、前記管理システムプラットホームはユーザの移動端末に当該ユーザからの注文品を収納する収納ボックスの番号及び個別の開錠コードを送信する。
【００１１】
前記調理ステーションでは出来上がった注文品はデリバリーボックス内に収納され、また前記調理ステーションでは管理システムプラットホームから送信された収納ボックスの番号とＱＲコード（登録商標）などの開錠コードをプリントアウトし、このプリントアウトしたシートを前記デリバリーボックスに貼り付けることで、間違いなく商品の受け渡しが行える。
【発明の効果】
【００１２】
本発明に係る食品の注文受渡しシステムによれば、注文品を調理する調理ステーションと注文品を受け取る受渡しステーションが離れていても、他人の注文品を誤って受け取ることがない。
【００１３】
また、調理ステーションと受渡しステーションをそれぞれに適合した場所に設定することができる。例えば調理ステーションとしてはガス、水道などを使いやすく衛生的な場所を選定し、受渡しステーションとしては、駅の改札口の近く、地下街の壁際、ビルの郵便ボックスの脇など僅かなスペースでも受渡しボックスを設置することができ、狭い空間を最大限利用することができる。
【図面の簡単な説明】
【００１４】
【図１】本発明に係る食品の注文受渡しシステムの全体構成図。
【図２】受渡しステーションの別例を示す図。
【図３】収納ボックスと解錠コードシートを説明した図。
【図４】本発明に係る受渡し注文受渡しシステムのフローチャートの一例を示す図。
【図５】ユーザの端末の遷移画面の一例を示す図。
【発明を実施するための形態】
【００１５】
図１に示すように、本発明に係る食品の注文受渡しシステムは、クラウドコンピュータなどに構築される管理システムプラットホーム１と、この管理システムプラットホーム１と双方向通信が可能なユーザが保有するスマートホンなどの移動端末２と、前記管理システムプラットホーム１と双方向通信が可能で管理システムプラットホーム１からの指令を受信して注文された食品を調理する調理ステーション３と、前記管理システムプラットホーム１と双方向通信が可能で出来上がった食品を受渡しのための受渡しステーション４とから構成される。
【００１６】
前記管理システムプラットホーム１は、ＣＰＵ、ＲＯＭ、ＲＡＭ、ＨＤＤ、ＢＩＯＳ、通信インターフェースなどから通信手段、演算手段及び記憶手段が構築される。前記記憶手段には少なくとも全ての調理ステーションに関する情報、提供可能な全ての食品に関する情報及びユーザに関する情報が記憶されている。
【００１７】
前記調理ステーション３に関する情報としては、例えばシステム管理者の操作によって変更できる非自動更新情報として、全ての調理ステーションの地図上の位置（番地）、従業員数、従業員の氏名、平均売上高など、変更が出た場合に直ちに更新される自動更新情報として、調理ステーション毎の残りのキャパシティ、売切り品の有無が挙げられる。
【００１８】
前記提供可能な全ての食品に関する情報のうち非自動更新情報としては食品名、サイドメニュー、値段など、自動更新情報としては食品が出来上がってからの経過時間が挙げられる。
【００１９】
前記ユーザに関する情報のうち非自動更新情報としては、ユーザ名、ＩＤ番号、決済情報など、自動更新情報としては前回及び前々回の注文内容が挙げられる。ユーザの好みは短期間で大きく変化することはなく、リピータの注文内容は前回または前々回の注文内容と同じ場合が多い。このような場合毎回同じ入力を行うのは時間の無駄になる。この実施例のように、ワンクリックで前回か前々回と同じ内容の注文ができれば、急いでいるときには便利である。
【００２０】
調理ステーション３と受渡しステーション４とは同じ店舗内に配置されず分離している。図１の右側の例では店舗の屋外に受渡しステーション４を配置し、調理ステーション３から受渡しステーション４まではデリバリーロボットを用いて搬送している。また、左側の例にあっては同じ建物内であるが、通路を隔てて迂回側の壁に沿って受渡しステーション４を配置している。
【００２１】
受渡しステーション４は複数の収納ボックス５…からなり、各収納ボックス毎にキー装置、送受信装置及びカメラが具備され、送受信装置を介して前記管理システムプラットホーム１からＱＲコード（登録商標）などの解錠コードを受信し、カメラで認識した開錠コードが管理システムプラットホーム１から送られた解錠コードと一致する場合に解錠する。
【００２２】
また、各収納ボックス５…の正面の周囲にはライン状のＬＥＤ照明装置６が設けられ、遠くからでも受渡しステーション４の位置を用意に確認できるとともに、商品が収納されている収納ボックス５の周囲のＬＥＤ照明装置６の色を他の部分と異ならせることで、ユーザに自分の注文品が入っている収納ボックス５を見つけやすくしている。
【００２３】
図２は受渡しステーション４の設置場所の別実施例を示しており、（ａ）は自動販売機に隣接して受渡しステーション４を配置し、（ｂ）はビル内の円柱の廻りに受渡しステーション４を配置している。
【００２４】
調理ステーション３には、管理システムプラットホーム１からユーザの注文内容とともに、注文した商品を入れる受渡しステーション４の収納ボックス５の番号（ＩＤ）及び解錠コードが送信される。この開錠コードは前記収納ボックス５及びユーザの移動端末２に送られる解錠コードと同じとする。
【００２５】
調理ステーション３において、注文品の調理が終わったら、図３に示すようにデリバリーボックス７内に調理済み品を入れる。一方、調理ステーション３では管理システムプラットホーム１から送信された注文内容、収納ボックス番号及び解錠コードをシート８にプリントアウトし、このシート８をデリバリーボックス７に貼り付ける。
【００２６】
調理ステーション３から受渡しステーション４までの搬送は任意であり、デリバリーロボットを用いることも可能である。そして、受渡しステーション４では前記シート８に記載されている番号の収納ボックス５のカメラにシート８に印刷されている解錠コードをかざし読み込ませる。読み込んだ解錠コードが予め収納ボックス５に送信されている解錠コードと一致すれば収納ボックス５が開くので、収納ボックス５内にデリバリーボックス７を入れ、再び収納ボックス５を閉じる。閉じることで自動的に施錠される。
【００２７】
次に注文から決算までの流れを図４のフローチャート及び図５のユーザの端末の遷移画面を参照して説明する。先ず、モバイルオーダのホームページにアクセスするか予めダウンロードしたアプリケーションソフトを立ち上げると、図５（ａ）に示すログイン画面となる。
【００２８】
必要な条件、例えばユーザＩＤなどを入力してログインボタンをタッチすると、管理システムプラットホーム１にユーザ情報が送信され、図５（ｂ）に示すように管理システムプラットホーム１からユーザの端末２に前回の注文内容が送信され表示される。今まで注文したことがないユーザについては、図５（ｄ）の商品のメニューに飛ぶ。
【００２９】
前回と同じでよければ「はい」をタッチする。すると、図５（ｇ）の決済のページに飛ぶ。「前々回」をタッチすると前々回の注文内容が表示され、「いいえ」をタッチすると、図５（ｃ）に示すように変更しようとしているものが商品自体なのか調味料かを問う画面に遷移する。
【００３０】
商品自体を変更する場合は、図５（ｄ）に示す画面に遷移し、調味料の量などを変更する場合は図５（ｅ）に示す画面に遷移する。（ｄ）と（ｅ）の画面をまとめてもよい。
【００３１】
この後、一般的な「カゴに入れる」、「レジへ」などの操作を行うと図５（ｆ）に示す確認画面に遷移する。この確認画面において「はい」をタッチすると決済画面に移行する。この決済画面では複数の決済方法が選択可能とされ、また新たに登録を行うことも可能なように新規登録画面へ移行するボタンも設けられている。
【００３２】
決済が終了したら、図５（ｈ）に示す受取り時間の指定画面に移行する。ユーザは商品の提供可能時間内において自分の都合のよい受渡しステーション４（調理ステーション３）と時間を指定する。時間を指定した後、確認ボタンをクリックすると、図５（ｉ）に示す受付表示画面に移行する。
【００３３】
受付表示画面には受付番号、収納ボックス番号及び解錠コードが表示される。収納ボックス番号及び解錠コードは調理ステーション３でプリントアウトしたシート８に表示されたものと同じである。ユーザは例えば自分のスマートホンの画面に示されている解錠コードを特定の収納ボックス５のカメラにかざすことで収納ボックス５が解錠され、注文した商品を取り出すことができる。
【符号の説明】
【００３４】
１…管理システムプラットホーム
２…移動端末
３…調理ステーション
４…受渡しステーション
５…収納ボックス
６…ＬＥＤ照明装置
７…デリバリーボックス
８…シート
【図１】
2020190933.tif 000003
【図２】
2020190933.tif 000004
【図３】
2020190933.tif 000005
【図４】
2020190933.tif 000006
【図５】
2020190933.tif 000007